(57)【要約】【課題】床下全体の空間を調湿、温調でき、かつ空間全体をそのまま収納に利用できる新しい床下収納庫の構造とその調湿、温調方法を提供する。【解決方法】住宅の床板に設けた開閉扉を開閉して該床板の下に設けた収納庫底板の上に物品を載置、収納し、かつ該床板と底板の間の収納空間に温度と湿度を調整された空気流を循環させる構造の床下収納庫であって、該循環空気は、地熱を蓄熱したグリ石の堆積層の中と地中に垂直に埋設した二重管の中を通して温度と湿度を調整した空気であることを特徴とする住宅の床下収納庫の構造。【選択図】　図３
2004084158.tif 000002
【特許請求の範囲】
【請求項１】
住宅の床板に設けた開閉扉を開閉して該床板の下に設けた収納庫底板の上に物品を載置、収納し、かつ該床板と底板の間の収納空間に温度と湿度を調整された空気流を循環させる構造の床下収納庫であって、該循環空気は、地熱を蓄熱したグリ石の堆積層の中と地中に垂直に埋設した二重管の中を通して温度と湿度を調整した空気であることを特徴とする住宅の床下収納庫の構造。
【請求項２】
上記住宅は床を支える梁をＨ型鋼で形成した鉄骨構造であって、上記収納庫底板は該Ｈ型鋼のフィンの部分に懸吊りした構造にしてなることを特徴とする請求項１に記載の床下収納庫の構造。
【請求項３】
上記住宅の外側の壁は内装材、断熱材、外装材からなる三層構造で、内装材、断熱材、外装材の間にはそれぞれ隙間があり、記循環空気は内装材と断熱材の間の隙間を通って上昇し、かつ断熱材と外装材の間の隙間には外気が上方に上昇通気してなることを特徴とする請求項２に記載の構造。
【請求項４】
請求項１〜３に記載の床下収納庫において、夏季には外の空気を吸引して地熱を蓄熱したグリ石の堆積層の中と地中に埋設した二重管の中を通して除湿、冷却した空気を循環させ、冬季には一坦通過した空気を再びグリ石の堆積層の中と地中に埋設した二重管の中を通して加湿、加温して循環させることを特徴とする住宅の床下収納庫の調湿、温調方法。
【発明の詳細な説明】
【０００１】
【発明の属する技術分野】
本発明は、住宅の床下に設置した収納庫の構造とその調湿、温調方法に関するものであり、更に詳しくは、自然エネルギ−を利用して調湿、温調ができる収納庫の構造とその調湿、温調方法に係わるものである。
【０００２】
【従来の技術】
一般住宅では、従来より、床下の空間を収納庫に利用することは行われている。床下はもともと暗くじめじめしてゴキブリ等の害虫が繁殖して極めて非衛生である。したがって従来の床下収納庫は、害虫の侵入、繁殖を抑えるために床下を壁で完全に仕切る密閉構造になっているが、暗くじめじめした雰囲気に変わりはない。害虫の侵入は防げてもカビの発生は防ぐことができない。又金属類は腐食し易い。したがって従来の収納庫は、腐敗しにくいもの、腐食し難い機材等の収納に限定されており、腐食、腐敗し易いものや湿気に影響を受け難いものに限定されている。従って収納空間が必ずしも有効に利用されているとは言い難い。
家庭の収納庫は、あたかも自然の氷室のように自然エネルギーだけで恒温、恒湿に保持され、野菜等の食材でも長期間安全に収納保存できることが理想的である。又さびやすいものでも、錆を発生させることなく長期間保存できることが理想的である。又床下の空間全部をそのまま広く利用できることが理想的である
【０００３】
【発明が解決しようとする課題】
本発明はかかる問題点に鑑みてなされたもので、床下全体の空間を調湿、温調でき、かつ空間全体をそのまま収納に利用できる新しい床下収納庫の構造とその調湿、温調方法を提供せんとするものである。
【０００４】
【課題を解決するための手段】
上記課題は下記請求項１〜４の手段によって解決できる。
すなわち、
［請求項５］住宅の床板に設けた開閉扉を開閉して該床板の下に設けた収納庫底板の上に物品を載置、収納し、かつ該床板と底板の間の収納空間に温度と湿度を調整された空気流を循環させる構造の床下収納庫であって、該循環空気は、地熱を蓄熱したグリ石の堆積層の中と地中垂直に埋設した二重管の中を通して温度と湿度を調整した空気であることを特徴とする住宅の床下収納庫の構造。
［請求項６］上記住宅は床を支える梁をＨ型鋼で形成した鉄骨構造であって、上記収納庫底板は該Ｈ型鋼のフィンの部分に懸吊りした構造にしてなることを特徴とする請求項１に記載の床下収納庫の構造。
［請求項７］上記住宅の外側の壁は内装材、断熱材、外装材からなる三層構造で、内装材、断熱材、外装材の間にはそれぞれ隙間があり、上記循環空気は内装材と断熱材の間の隙間を通って上昇し、かつ断熱材と外装材の間の隙間には外気が上方に上昇通気してなることを特徴とする請求項２に記載の構造。
［請求項８］請求項１〜３に記載の床下収納庫において、夏季には外の空気を吸引して地熱を蓄熱したグリ石の堆積層の中と地中に埋設した二重管の中を通して除湿、冷却した空気を循環させ、冬季には一坦通過した空気を再びグリ石の堆積層の中と地中に埋設した二重管の中を通して加湿、加温して循環させることを特徴とする住宅の床下収納庫の調湿、温調方法。
【発明の実施の形態】
本発明の構造とその作用機能を図面で説明する。
【０００５】
図１，２は本発明収納庫を備えた住宅の全体構造と作用機能を説明する図である。図１は夏季における作用機能を説明する図である。図２は冬季における作用機能を説明する図である。
【０００６】
本発明収納庫には自然力を利用して除湿乾燥された、四季を通じて概ね一定の温度（１５〜２０℃）の空気が循環する。
循環空気は下記機構で２段階で除湿される。
夏季と冬季の場合を例にとって説明する。
夏季の場合
（１）住宅の天井に備えたファンによって、吸気口１から高温多湿の外の空気が吸入される。ダンパー▲１▼を開放し、ダンパー▲２▼を閉じることによって、外気は下記のような順路で住宅内を通風循環して戸外へ排気される。
グリ石の堆積層→二重管→１階床下→１階屋内→２階床下収納庫→２階屋内→２階天井→排気
グリ石は、直径３０〜１００ｍｍの石を、１階床下の地下数十ｃｍの深さから地表面に概ね４０〜５０ｃｍの堆積厚さに積んだものである。堆積層の上面は断熱性のシートで覆われている。又堆積層の底面には地中からの湿分の上昇を防止するための防湿シートが敷かれている。このシートはくり石層に発生した水滴等はシートを通って地中に浸透することは出来るが地中からの湿分の上昇は防止する構造になっている。これは複数のシートを位置をずらして重なった部分が出来るように全体に敷設することで達成できる。すなわち地面からの湿分、水分の上昇は防止できるが、上方からの水分は重なった部分の隙間から外に染み出ることができるようになっている。
地熱は四季を通じて１３〜１８℃の温度に保たれており、グリ石の堆積層はこの地熱の影響を受けて夏季には２０〜２４℃、冬季には　　１５〜１９℃の温度に保持されている。
堆積されたグリ石とグリ石の間には隙間が存在し、吸入された外気はこのグリ石の隙間の中を通過するときに冷却され、グリ石の表面には空気中の水分が結露して第１段の除湿、冷却が行われることとなる。
（２）グリ石の堆積層の隙間を通り過ぎた空気は、二重管の中に送られる。
二重管は、図４に示すように、先端が封止された外管の中に両端が開放された内管が差し込まれた構造で、外管と内管の間には適当な隙間が存在する。外管の開放側（封止部の反対側）近傍の周囲には、複数の穴があいており、この穴のあいた面がグリ石の層と接触する状態で地中に垂直に埋め込まれている。
外管開放側端面はグリ石層の上面と概ね同じレベルまで埋め込まれ、外管と内管の隙間は封止されている。従って堆積層の間を通り過ぎた空気は外管の穴から外管と内管の隙間に入り、隙間を下降して下端の封止部に衝突して方向を変えて内管を上昇してグリ石と１階の床の隙間に排出されることとなる。
【０００７】
外管表面は四季を通じて地熱の温度（１３〜１８℃）に保持されており、通過空気は冷却される。又パイプ内面は空気中の水分が結露して第２段目の除湿が行われる。
以上のような機構で第１段目の冷却と除湿、第２段目の冷却と除湿が行われて床下に排出される空気は除湿乾燥された冷たい（１５　　〜２０℃）空気と成る。
尚ここで、冷却と乾燥をよりよくするためには外管内面の表面積を大きくすることは極めて有効な手段である。たとえば内面にフィンを取付けたりあるいはパイプの長さ方向で波板形状に加工する等の方法が有効である。
【０００８】
循環空気は屋内に導入せず直接収納庫に導いて収納庫の空気のみを除湿冷却しても良いが、住宅全体の空気を除湿冷却したほうが収納庫の除湿冷却をより効果的に行うことが出来る。
【０００９】
冬季の場合、住宅内の空気の温度、湿度が外気よりも高くなる。収納庫には除湿空気が好ましいので、図２に示すように、ダンパー▲１▼を閉じ、ダンパー▲２▼を開いて、又吸気口は閉じて、屋内の空気をグリ石層に返してここで除湿して再び収納庫に通風循環させると良い。又収納庫のみ温度を低くしたい時は、吸気口を一部開いて外の冷たい空気を入れて通風温度の調整も出来る。
【００１０】
本発明住宅で循環空気の熱効率をよくするために、つまり夏季等に外気の熱い空気で室内の通風空気の温度が上昇しないように、外壁の壁は断熱性能に優れた構造にする必要がある。たとえば外断熱構造、つまり内装材の外側に断熱材を配する構造が良い。又断熱材の外側に更に外装材を配し、内装材、断熱材、外装材の間にはそれぞれ隙間を設ける構造が良い。図１、２、５に示すように、外装材は丈を短くして下端と上端に隙間を設け、この隙間から外気が侵入して上に抜ける構造にすると更に冷却効率が向上する。
【００１１】
収納庫の構造は、床全体を支える梁をＨ型鋼で形成し、このＨ型鋼に収納庫の底板をつるす構造が好ましい。従って本発明収納庫は家全体を鉄骨構造にして、この鉄骨にＨ型鋼の梁を取付ける構造にすると良い。
図３は収納庫底板を吊るす一つの実施形態を示したものである。
Ｈ型鋼の梁は図示していない鉄骨に溶接あるいはリベット、ボルト等の手段で取付ける。Ｈ型鋼のフィンの部分に穴をあけてボルトを取り付け、このボルトに収納庫の底板をつるす構造である。１階の天井もこのボルトに一緒につるすことが出来る。収納する物品は開閉扉を開閉することによってなされる。
【００１２】
鉄骨は錆を防ぐために溶融亜鉛メッキすると良い。又亜鉛メッキの表面に更に樹脂塗装しても良い。
【００１３】
以上説明した構造は、２階の床下を収納庫に利用する構造であるが、１階の床下を収納庫にしても良い。この場合はグリ石の堆積層の上に収納庫底板を載せる構造となる。
【００１４】
収納庫に通風循環させる空気の温度制御は、ダンパー▲１▼、▲２▼、および吸気口の開閉をコンピューターと連動させて作動させることによって任意に設定した温度に制御することが出来る。すなわち夏季、天井裏の温度が上昇すると、ダンパー▲１▼が開放され、ダンパー▲２▼が閉じられてファンが回転をはじめる。天井裏の熱気は外に排出され、外気が吸気口から吸い込まれ、クリ石層、二重パイプの中を通って除湿、冷却された空気が収納庫に流れ込むこととなる。一方設定温度以下になるとダンパー▲１▼が閉じられ、ダンパー▲２▼が開けられて屋内空気のみが循環して除湿のみが行われる事となる。又外の空気の導入によっても温度湿度を適宜自在に調整できる。
【００１５】
【発明の効果】
以上詳記した様に、本発明の収納庫は、地熱を使った自然エネルギーで四季を通じてその温度を１５〜２０℃、湿度を４０〜８０％に保持できる特徴があり、野菜、その他の農産物、あるいは乾燥食品を安定して鮮度よく長期間収納できる特徴があり、家庭の省エネに多大の貢献をなすものである。
【図面の簡単な説明】
【図１】図１は、本発明収納庫を備えた住宅の全体構造と作用機能を説明する図で、夏季における作用機能を説明する図である。
【図２】図２は、本発明収納庫を備えた住宅の全体構造と作用機能を説明する図で、冬季における作用機能を説明する図である。
【図３】図３は、収納庫底板を吊るす一つの実施形態を示したものである。
【図４】図４は、二重管の構造と作用機能を説明する図である。
【図５】図５は、外壁の構造を説明する図である。
【符号の説明】
１…吸気口
２…グリ石層
３…二重管
４…内装材
５…断熱材
６…外装材
７…収納庫底板
８…ファン
【図１】
2004084158.tif 000003
【図２】
2004084158.tif 000004
【図３】
2004084158.tif 000005
【図４】
2004084158.tif 000006
【図５】
2004084158.tif 000007
【手続補正書】
【提出日】平成15年11月20日(2003.11.20)
【手続補正１】
【補正対象書類名】明細書
【補正対象項目名】０００４
【補正方法】変更
【補正の内容】
【０００４】
【課題を解決するための手段】
上記課題は下記（１）〜（４）の手段によって解決できる。
すなわち、
（１）住宅の床板に設けた開閉扉を開閉して該床板の下に設けた収納庫底板の上に物品を載置、収納し、かつ該床板と底板の間の収納空間に温度と湿度を調整された空気流を循環させる構造の床下収納庫であって、該循環空気は、地熱を蓄熱したグリ石の堆積層の中と地中垂直に埋設した二重管の中を通して温度と湿度を調整した空気であることを特徴とする住宅の床下収納庫の構造。
（２）上記住宅は床を支える梁をＨ型鋼で形成した鉄骨構造であって、上記収納庫底板は該Ｈ型鋼のフィンの部分に懸吊りした構造にしてなることを特徴とする上記（１）に記載の床下収納庫の構造。
（３）上記住宅の外側の壁は内装材、断熱材、外装材からなる三層構造で、内装材、断熱材、外装材の間にはそれぞれ隙間があり、上記循環空気は内装材と断熱材の間の隙間を通って上昇し、かつ断熱材と外装材の間の隙間には外気が上方に上昇通気してなることを特徴とする（２）に記載の構造。
（４）上記（１）〜（３）に記載の床下収納庫において、夏季には外の空気を吸引して地熱を蓄熱したグリ石の堆積層の中と地中に埋設した二重管の中を通して除湿、冷却した空気を循環させ、冬季には一坦通過した空気を再びグリ石の堆積層の中と地中に埋設した二重管の中を通して加湿、加温して循環させることを特徴とする住宅の床下収納庫の調湿、温調方法。